(57)【要約】      （修正有）【課題】鍵なしで自動的に施錠する錠前を提供する。【解決手段】掛け金２を受け金３に着脱させるための係止部Ｘは、掛け金２が内蔵されている枠箱１につまみ４が取付け部を中心に可逆的に起立および倒伏可能に取り付けられており、つまみ４を起立の状態で回転操作することにより掛け金２を受け金３に対し着脱させることができ、係止部Ｘと鍵部Ｙは掛け金２が受け金３に係止された状態でつまみ４を倒伏すると、つまみ４の倒伏側に設けられたフック５が鍵部Ｙの錠のラッチ１４に自動的に係合してつまみ４を固定し施錠されるように構成されており、鍵部Ｙの錠の鍵６でラッチ１４をフック５から開放させることによりつまみ４の固定を解いて施錠を開錠する。【選択図】図２
2008297725.tif 000002
【特許請求の範囲】
【請求項１】
掛け金を受け金に着脱させるための係止部と、受け金に係止された掛け金の施錠を開錠するための鍵部とを有し、前記係止部と鍵部は掛け金が受け金に係止された状態で鍵なしで施錠されるように構成されており、前記施錠を鍵部に設けられた錠の鍵によって開錠することを特徴とする自動施錠錠前。
【請求項２】
前記掛け金を受け金に着脱させるための係止部は、掛け金が組み込まれている枠箱につまみが取付け部を中心に可逆的に起立および倒伏可能に取り付けられており、該つまみを起立の状態で回動することにより掛け金を受け金に対し着脱させることができ、前記係止部と鍵部は掛け金が受け金に係止された状態でつまみを倒伏すると、つまみの倒伏側に設けられたフックが鍵部の錠のラッチで自動的に係止されてつまみを固定し施錠されるように構成されており、鍵部の錠の鍵で前記ラッチをフックから開放させることによりつまみの固定を解いて開錠することを特徴とする請求項１に記載の自動施錠錠前。
【請求項３】
前記鍵部の錠が、枠箱に組み込んで設けられている請求項２に記載の自動施錠錠前。
【請求項４】
前記鍵部の錠が、枠箱と別個に設けられている請求項２に記載の自動施錠錠前。
【請求項５】
前記つまみは本体部と取付け部とからなり、前記枠箱に取付け部がばねの弾性力を受けながら可逆的に起立および倒伏可能に取り付けられている請求項２〜４のいずれかに記載の自動施錠錠前。
【請求項６】
前記つまみは、取付け部が本体部に対しつまみの起立側に角度θ傾斜しており、施錠時に倒伏したとき本体部が取付け部に対して起立側に角度θ傾斜した状態となり、この状態のつまみを更に押圧することによりフックが鍵部の錠のラッチで自動的に係止され施錠される請求項５に記載の自動施錠錠前。
【請求項７】
鍵部の錠が鍵錠またはシリンダ錠である請求項１〜６のいずれかに記載の自動施錠錠前。
【請求項８】
請求項１〜７のいずれかに記載の錠前が取り付けられている収納容器。
【請求項９】
収納容器が、かばんおよびケース等の携帯用容器、ロッカーおよび郵便私書箱等の備付け容器、またはコンテナ等の運搬用容器である請求項８の収納容器。
【発明の詳細な説明】
【技術分野】
【０００１】
本発明は、収納容器等の施錠に好適する錠前に関し、特に鍵なしで施錠できる自動施錠錠前に関する。
【背景技術】
【０００２】
近年、情報の管理や盗難防止などの面から、機密情報や貴重な物品を入れたかばんやケース（以下、かばん等とする）などの収納容器のセキュリティ管理が重要性を増している。このようなセキュリティ管理の方法としては、容器の施錠による管理が一般的である。
【０００３】
従来、上記目的に適う代表的な錠前は、施錠する容器の開口部の一方に取り付けられた掛け金を他方に取り付けられた受け金に係止させ、この状態で掛け金が受け金から離脱しないように鍵で施錠するようになっている。そして、その開錠も鍵によって行われる。つまり、従来のこの種の錠前は、一般的な錠前と同じで開錠ばかりでなく施錠も鍵によって行うものである。
【発明の開示】
【発明が解決しようとする課題】
【０００４】
このように従来の錠前は、施錠も逐一鍵によって行わなければならないため、使い勝手と作業性が悪く、収納容器の施錠に大きな負担が必要となり、効率的な作業が得られなかった。
さらに、錠前の活用の拡大によって錠前の使用形態や使用方法が多様化し、かばん等に取り付けた錠前を特定された個人だけが開閉使用するに留まらずに、施錠された不特定多数のかばん等を特定された他の人が解錠するような用途が出現している。
したがって、このようなセキュリティ管理の多様化に伴う錠前の使用形態や使用方法に対応でき、より安全度が高くかつ使い勝手のよい錠前が求められている。
本発明は、このような課題を解消できる錠前、特に鍵なしで施錠できる自動施錠錠前を提供することを目的とする。
【課題を解決するための手段】
【０００５】
本発明者は、上記の課題を解決するために、錠前の施錠構造について鋭意検討した結果、掛け金を受け金に係止させた状態で施錠する施錠構造を改善することにより、鍵なしで自動的に施錠できることを見出し、本発明に至ったものである。すなわち、
本発明は、掛け金を受け金に着脱させるための係止部と、受け金に係止された掛け金の施錠を開錠するための鍵部とを有し、前記係止部と鍵部は掛け金が受け金に係止された状態で鍵なしで施錠されるように構成されており、前記施錠を鍵部に設けられた錠の鍵によって開錠することを特徴とする自動施錠錠前を提供する。
【０００６】
本発明の錠前において、前記掛け金を受け金に着脱させるための係止部は、掛け金が組み込まれている枠箱につまみが取付け部を中心に可逆的に起立および倒伏可能に取り付けられており、該つまみを起立の状態で回動することにより掛け金を受け金に対し着脱させることができ、前記係止部と鍵部は掛け金が受け金に係止された状態でつまみを倒伏すると、つまみの倒伏側に設けられたフックが鍵部の錠のラッチで自動的に係止されてつまみを固定し施錠されるように構成されており、鍵部の錠の鍵で前記ラッチをフックから開放させることによりつまみの固定を解いて開錠することが好ましい。
本発明の錠前において、前記鍵部の錠は、掛け金が組み込まれている枠箱に組み込むか、または枠箱と別個に設けることができる。
【０００７】
さらに、本発明の錠前において、前記つまみは本体部と取付け部とからなり、前記枠箱に取付け部がばねの弾性力を受けながら可逆的に起立および倒伏可能に取り付けられることが好ましい。そして、前記つまみは、取付け部が本体部に対しつまみの起立側に角度θ傾斜しており、施錠時に倒伏したとき本体部が取付け部に対して起立側に角度θ傾斜した状態となり、この状態のつまみを更に押圧することによりフックが鍵部の錠のラッチで自動的に係止され施錠されることが好ましい。
本発明の錠前において、鍵部の錠は鍵錠またはシリンダ錠であることが好ましい。
また、本発明は上記した錠前が取り付けられている収納容器を提供し、該収納容器としては、かばんおよびケース等の携帯用容器、ロッカーおよび郵便私書箱等の備付け容器、またはコンテナ等の運搬用容器であることが好ましい。
【発明の効果】
【０００８】
本発明によれば、鍵がなくても掛け金が受け金に係止された状態で自動的に施錠できるため、これまで鍵操作によって逐一行われていた施錠作業が省けるという利点があり、作業効率の向上が得られる。
【０００９】
また、本発明の好ましい実施態様では、掛け金の受け金に対する着脱を係止部のつまみの回動により行い、該つまみを掛け金が受け金に係止された状態で倒伏させることにより、つまみに設けたフックを鍵部の錠のラッチで自動的に係止して施錠することができる。したがって、施錠が簡単で使い勝手も優れている。さらに、鍵部の錠のラッチ機構を変えるだけで目的が達成できるため、錠前を低コストで製造することができる。
【００１０】
また、上記つまみの取付け部を本体部に対しつまみの起立側に所望の角度θ傾斜させ、かつ取付け部をばねで弾性的に支持してつまみを起伏可能に取り付けしておくと、つまみを倒伏側に単に倒伏させたときには本体部が起立側に前記角度θだけ傾斜した状態となり、この状態のつまみを更に押し込むことによりつまみの倒伏側に設けられているフックを鍵部の錠のラッチで係止し自動的に施錠できる。
【００１１】
そして、施錠されたつまみの本体部は前記押し込みにより傾斜が解消されるため、つまみの本体部が傾斜しているか否かを確認することによって、つまみが施錠されているか否かが一目で判別できる。これにより、施錠漏れを回避できる。さらに、鍵部の錠の鍵でフックからラッチを外すと、つまみはばねの弾性力で戻され本体部が傾斜した状態になるため把持しやすくなる。
【発明を実施するための最良の形態】
【００１２】
次に、本発明を図面に基づいて具体的に説明する。但し、以下の図面および説明は、本発明の好ましい実施形態を例示したものであり、本発明はこれに限定されない。また、機能が実質的に同じ部品には、同一の符号を付してその説明を省略することがある。
【００１３】
図１は本発明の好ましい実施形態に係る錠前（以下、本錠前とする）を示し、（Ａ）はその平面図、（Ｂ）は左側面図である。また、図２は図１（Ａ）のＩ−Ｉ部分の断面図である。図１および図２に示すように、本錠前は、掛け金２を受け金３（図２に２点鎖線で示す）に着脱させるための係止部Ｘと、受け金３に係止された状態で施錠された掛け金２を開錠するための鍵部Ｙとを有する。これらの係止部Ｘと鍵部Ｙは、羽枠１７に軸管１８によって回転自在に取り付けられた枠箱１に組み込まれている。そして、該羽枠１７を施錠する収納容器等の開口部の一方に取り付けすることにより、本錠前は収納容器等に取り付けられる。この場合、収納容器等には通常金具等を介在して取り付けられるが、羽枠１７を収納容器等に直接に取り付けてもよい。かくして、収納容器等に取り付けられた本錠前4の掛け金２は軸管１８を中心にして回転可能（図２のａ方向）となる。前記開口部の他方には、受け金３が直接または金具等を介在して取り付けされる。
【００１４】
詳しくは後述するが、図２に示すように掛け金２は、枠箱１の係止部Ｘ内部に受け金３に対し進退（図２のｂ方向）できるように組み込まれている。この係止部Ｘには掛け金２を進退させて受け金３に着脱するためのつまみ４が設けられる。このつまみ４は、枠箱１につまみ軸８によって取り付けられ、取付け部を支点にして可逆的に起伏（起立および倒伏）可能（図２のｃ方向）になっており、つまみ４を掴んで廻すことによりつまみ軸８を回動させることができる。該つまみ軸８の内側には、掛け金２をカム機構でｂ方向に動かすためのカム板１５が取り付けられている。すなわち、カム板１５にはカムピン９が立設されていて、該カムピン９を枠箱１内に組み込まれている前記掛け金２のカム孔に嵌入し、つまみ４を起立の状態にしてつまみ軸８を回動すると、カム板１５のカムピン９が前記掛け金２をｂ方向に動かす。これにより、掛け金２を受け金３に着脱させることができる。
【００１５】
さらに、本錠前の係止部Ｘと鍵部Ｙは、掛け金２を受け金３に係止した状態でつまみ４を倒伏し、つまみ４の倒伏側に設けられたフック５を鍵部Ｙの鍵箱１１に内蔵されたラッチ１４に押圧すると、ラッチ１４が自動的にフック５を係止するように構成されている。フック５がラッチ１４により係止されると、つまみ４が起立も回動もできないように固定されるため、掛け金２は受け金３に係止された状態で施錠される。つまり、本錠前を鍵なしで施錠できる。そして、この施錠された本錠前は、鍵部Ｙの錠のキーガイド１３に鍵６を差し込んで回すと、鍵箱１１内のラッチ１４がフック５から外されつまみ４が開放されるため、つまみ４を起立させて廻すことが可能となり開錠できる。
【００１６】
なお、本発明において、錠前を構成する部品の材質としては、公知の錠前や留め金具と同様に、強度、成形加工の容易性、耐久性などの面から金属が好ましい。本錠前の主要部品も金属板から打ち抜き加工とプレス加工によって製造され、錠前はこれらの部品を組立てることによって得られる。したがって、本明細書ではすべての部品を金属製として説明するが、一部の部品を例えば合成樹脂製にすることもできる。
【００１７】
以下、本錠前の各構成部品について図面を参照して説明する。
図３は、本錠前の全体の外郭を形成する枠箱１を裏側から見たときの平面図、図４は図３の右側面図である。本錠前において枠箱１は、掛け金２および鍵箱１１を組み込んで係止部Ｘおよび鍵部Ｙを構成するための部品で、所定の形状に打ち抜き加工された金属板をプレス加工して作ることができる。すなわち、枠箱１の仕様に従って例えば係止部Ｘにつまみを取り付けるための開口部２０、鍵部Ｙに錠取付け孔２３、およびこれらの間にフック用孔２１を設けて金属板を打ち抜き加工し、打ち抜きされた金属板の両側を直角に折り曲げて両側部４０、４０、を形成し、さらに係止部Ｘの両側部４０、４０の先部を内側に屈曲させて折り曲げ部４１を形成する。この折り曲げ部４１が掛け金２の両側部を外側から保持することにより、掛け金２は両側部４０、４０と折り曲げ部４１に案内されて枠箱１内を円滑に移動することができる。この場合、折り曲げ部４１を形成してから掛け金２を組み込んでもよいし、枠箱１の両側部４０、４０内に掛け金を組み込んだ状態で折り曲げ部４１を内側に屈曲させてもよい。
【００１８】
一方、鍵部Ｙに対応する両側部４０、４０の各端部には、枠箱１を羽枠１９に軸管１８（図２参照）で取り付けるための取付け孔２４が設けられている。また、鍵部Ｙの両側部４０、４０の先部には留め片２５が形成されている。該留め片２５は、鍵箱が一端を上記軸管１８で軸支して両側部４０、４０の間に組み入れられた状態で内側に折り曲げられる。これにより、鍵箱を枠箱１に固定することができる。この組立てについては更に後述する。
【００１９】
図５は掛け金２の平面図、図６は図５のII−II部における断面図である。図示するように掛け金２は、その先端部が受け金に係止できるよう鉤状に曲げられており、またその両側部を直角に折り曲げてなる屈曲部４６を備えている。この屈曲部４６は、掛け金２を構造的に強化して曲げを抑制する、厚さ方向（図５の紙面と直交方向）に空間を確保し、例えばカムピンなどを組み込みやすくする、および枠箱１の前記折り曲げ部４１で案内されながら枠箱１内を円滑に移動できるようにする、などに有効に機能する。このため、屈曲部４６の高さは、枠箱１の前記両側部４０，４０の高さと対応しており、これより僅かに小さいことが好ましい。
【００２０】
また、この掛け金２には前記カムピンを挿通するカム孔１７が設けられている。該カム孔１７の短径はカムピンの外径より僅かに大きくなっており、また長径はつまみでカムピンを一定角度回動させると、掛け金２をｂ方向（図２参照）に進退させて受け金に確実に着脱できる寸法に設定される。掛け金２の進退のストローク長さ（掛け金２の前進位置と後退位置との距離）は、カムピンの偏心寸法（回動半径）とカムピンの回動角度などによって規制され、カムピンの回動角度がカム孔の長径とその位置によって決まるため、これらを適切に決めることで掛け金２のストローク長さを調整できる。また、カム孔１７の位置によってカムピンの回動の始点と終点の位置を決めることができる。本例ではカムピンを約１８０度回動させると、掛け金２の最大ストローク長さが得られる長径になっている。さらに、図５に示すようにカム孔１７の位置を横方向にずらしてカムピンの回動の始点（最大前進位置）と終点（最大後退位置）の位置を調整している。なお、長孔１７の周辺を含む掛け金２の領域は、後述のカム板の組み込みを容易にするために、凹ませておくことが好ましい。
【００２１】
図７はつまみ４の平面図、図８は図７のIII−III部の断面図である。つまみ４は本体部２２と取付け部２６とを有している。本体部２２は、掛け金２を受け金３に着脱したり、受け金３に係止された掛け金２を施錠する際、つまみ４を起伏または回転するときに摘む部分である。形状は限定されないが、摘んでこれらの操作がしやすいように、横方向に所定の幅を有する扁平形状が好ましい。
【００２２】
一方、取付け部２６はつまみ４を枠箱１に取り付けする部分である。本例のつまみ４では、図示するように本体部２２の上部中央を二股状に切り欠き、この二股部上端に取付け部２６を内側に向かって設けている。この取付け部２６は、金属板からつまみ４を打ち抜き加工する際に形成することができる。このようにして形成された取付け部２６は、図８に示すように矩形状の断面を有している。この矩形状断面部をばね材で押えてつまみ４を枠箱１に取り付けると、ばね材で弾性支持された取付け部２６が回動の自由度が得られるため、つまみ４は可逆的に起立および倒伏可能となる。その際、矩形状断面はつまみ４（本体部２２）の起伏位置を規制する機能を有する。すなわち、枠箱１に取り付けられたつまみ４は、矩形状断面の取付け部２６で弾性支持されているため、矩形状断面の対向する一方の２辺で支持したとき起立の位置となり、他の２辺で支持したとき倒伏の位置になる。
【００２３】
上記本体部２２には、つまみ４を倒伏した状態で鍵部Ｙの錠で施錠するためのフック５が設けられている。このフック５は、本体部２２の倒伏側に設けられ、図８に示すように本体部２２の一部を倒伏側に折り曲げて形成することができる。本錠前において、つまみ４は本体部２２を起立して例えば約１８０度回動させると、受け金３に係止された掛け金２が最大に後退し、このときつまみ４の本体部２２が掛け金２の進退方向ｂと直交する向き（図２の鎖線で示す向き）になるように設定されている。つまみ４はこの向きで施錠される。ここで、つまみ４もしくは本体部２２の倒伏側とは、つまみ４を施錠できる状態（図２の鎖線の状態）にしたときの、本体部２２の鍵部Ｙに面する側をいい、起立側とはその反対側をいう。フック５を本体部２２の倒伏側に設けることにより、本体部２２を鍵部側に倒伏させると、該フック５を鍵部Ｙのラッチで係止させて施錠することができる。この施錠については、後述する。
【００２４】
フック５は、前記したように本体部２２の一部を折り曲げることで容易に得られるが、本体部２２に例えば溶接して設けてもよい。また、取付け部２６が本体部２２に連結する部分を起立側に彎曲させて彎曲部２７を設け、取付け部２６を本体部２２に対し起立側に高くすると、本体部２２を十分に倒伏させてフック５を鍵部Ｙのラッチに係止させやすくできる。また、本体部２２の下端中央部を起立側に突出させて持上げ部２８を設けると、倒伏状態のつまみ４を起立させるとき把持しやすくなる。
【００２５】
さらに、上記つまみ４において、取付け部２６は図８に示すように本体部２２に対し本体部２２の起立側に角度θ傾斜していることが好ましい。このように取付け部２６を本体部２２に対し角度θ傾斜させておくと、つまみ４を施錠するために倒伏させたとき、取付け部２６で枠箱１に支持されているつまみ４は本体部２２が起立側に角度θ傾いて、すなわち枠箱１から浮上して支持される。図９はこのつまみ４の浮上機構を概略的に示す。図９（Ａ）は、取付け部２６が本体部２２に対し本体部２２の起立側に角度θ傾斜している場合であり、（Ｂ）は取付け部２６が本体部２２に対し傾斜していない場合である。（Ｂ）に示すように取付け部２６が本体部２２に対し傾斜していない場合には、つまみ４を倒伏させたとき、その本体部２２は取付け部２６と同レベルとなり水平に保持される。
【００２６】
これに対し、取付け部２６が本体部２２に対し本体部２２の起立側に角度θ傾斜している場合には、（Ａ）に示すようにつまみ４を倒伏させたとき、その本体部２２は水平に保持されている取付け部２６に対し、起立側に角度θ傾斜して保持される。つまみ４を施錠のために倒伏したとき、およびこの施錠を解いたとき、つまみ４がこのように起立側に角度θ傾斜していると、施錠されていないことを示している。
【００２７】
したがって、つまみ４の本体部２２がこのような状態にあるかどうかによって、つまみ４が施錠されているか否かを一目で判別できるため、施錠の漏れを防止できる。また、つまみ４を開錠したとき、本体部２２の前記持上げ部２８がこの傾斜によって一層高位置に保持されるため、つまみ４を起立させやすくできる。上記角度θとしては、７〜１３度が好ましく、より好ましくは８〜１０度である。θが７度より小さいと、上記効果を十分に享受できなくなり、また１３度超では起立時の本体部２２を枠箱１に対し略直角に保持することが困難になるとともに、施錠時におけるつまみ４の押し込み負担が増すので好ましくない。
【００２８】
図１０は、上記つまみ４を枠箱１につまみ軸によって取り付けるのに有効な板ばね７を示す。つまみ４の取付け部２６を板ばね７で弾性支持することにより、つまみ４を弾性力を受けながら可逆的に起立および倒伏させることができる。例示の板ばね７は製造のしやすさ、組立ての容易さなどの点で優れているが、板ばね７の形体は適宜変えられる。また、つまみ４の取付け部２６を弾性支持できれば、板ばね以外のばね体であってもよい。
【００２９】
図１１は枠箱１を取り付ける羽枠１９を示す。（Ａ）はその平面図、（Ｂ）は右側面図である。羽枠１９は両側部を折り曲げたチャンネル状の部品で、底部には取付け孔３１が設けられている。また、両側部には枠箱１を揺動可能に取り付けための軸管を嵌着する長軸孔２９と、枠箱１に組み込まれた掛け金を受け金に係止した状態で引き寄せ緊締するための引き寄せばね１６（図１参照）を装着するばね取付け孔３２とがそれぞれ設けられている。前記引き寄せばね１６としては、図１２に示すような二つの取り付け端部を有する巻きばねが好ましく使用できる。該巻きばねの二つの取り付け端部は、羽枠１９のばね取付け孔３２と長軸孔２９との最大距離より大きくなっている。このため、該巻きばねの一端を長軸孔２９に嵌着された軸管の端部に、他端を前記ばね取付け孔３２に装着して、羽枠１９の両側に引き寄せばね１６を取り付けると、長軸孔２９に嵌着された軸管は、巻きばねの弾性力に抗して長軸孔２９に沿って移動できる。したがって、掛け金を受け金に係止した状態で後退させると、掛け金が軸管に軸支されているため、掛け金と受け金とは互いに引き寄せられ巻きばねの弾性力で緊締できる。
【００３０】
次に、つまみ４を枠箱１に取り付けするのに使用するつまみ軸８について説明する。図１３は、つまみ軸８を裏方向から見たときの斜視図である。図１３に示すうにつまみ軸８は全体的に円形ボタン状をなしている。つまみ軸８の下端部（図１３では裏返しているため上部になっている）は、段部４２によって小径部４５を有し、この小径部４５は枠箱１の開口孔２０の径と実質的に同一かそれより僅かに小さくなっている。そして、このつまみ軸８の下部には、前記したつまみ４の取付け部２６を装着するための凹部３０が中央を横切って形成されており、該凹部３０の横方向の中央部分は両端部より広幅にして前記ばね７を挿入するための板ばね収容部３５となっている。凹部３０の両側にはかしめボス３４が設けられている。このかしめボス３４は、つまみ軸８の下面の周縁寄り部分に、前記凹部３０に対し点対称に設けられることが好ましい。なお、図中３３は、次に説明するカム板１５のカムピンの逃げ孔である。
【００３１】
図１４は、カム板１５を示す。このカム板１５は前記つまみ軸８と略同径の円盤状をなしている。図１４では裏返しているため上側になっているが、下側にカムピン９が植立てされており、上記したつまみ軸８の小径部４５が枠箱１の開口孔２０に嵌合された状態で該つまみ軸８の下端部に連結される。このため、カム板１５にはつまみ軸８のかしめボス３４に対応してボス孔３６が設けられており、該ボス孔３６をつまみ軸８のかしめボス３４に嵌合し、かしめボス３４をかしめることによりカム板１５をつまみ軸８に連結できる。このとき、カム板１５に植立てされたカムピン９がカム板１５の裏面から突出していても、つまみ軸８に逃げ孔３３が設けられているので支障されない。
【００３２】
次に、本錠前の鍵部Ｙについて図１５を参照して説明する。
図１５（Ａ）は、前記した枠箱１に組み込まれる鍵部Ｙの概略的分解図であり、（Ｂ）はそのラック１４を鍵６で動作させるときの斜視図である。図１５（Ａ）に示すように鍵部Ｙは、鍵箱１１と、鍵箱１１内にばね１２を伴って組み込まれたラッチ１４と、ラッチ１４の中心部に設けられている鍵孔３７に挿通され先端が鍵箱１１の背板に設けた孔４３に保持されたキーガイド１３と、から構成される。このような構成により、鍵箱１１に組み込まれたラッチ１４は、鍵箱１１内において弾性的に矢印方向に動くことができる。しかし、常時はばね１２によって係止部Ｘ側（図１５（Ａ）では上側）に付勢されており、このときラッチ１４の先端に位置する係止部４４は枠箱１のフック用孔２１（図３参照）まで延伸し、該フック用孔２１に挿入されるつまみのフックに係合するようになっている。
【００３３】
このため、ラッチ１４の係止部４４がつまみのフックで押されると、ラッチ１４はばね１２の弾性力に抗して強制的に鍵箱１１の奥方向に移動する。そして、更につまみのフックが奥まで押されると、フックに邪魔されなくなるため、ラッチ１４はばね１２の付勢力の作用でフック側に押し出されてその係止部４４がフックを係止し施錠する。
【００３４】
このようにラッチ１４が鍵箱１１内で変動できるように、変動方向（矢印方向）における鍵箱１１とラッチ１４との間には余裕空間が設けられる。また、ラッチ１４が鍵箱１１内を変動する際、キーガイド１３が邪魔しないよう鍵孔３７もキーガイド１３の径より十分に大きく形成される。また、ラッチ１４の係止部４４は、つまみのフックとの接触係合を円滑にするために、先端に向かって先細の曲面に形成されていることが好ましい。
【００３５】
上記ラッチ１４の鍵孔３７には、施錠状態にあるラッチ１４を鍵６で開錠するための手段として、鍵受け部３８が内側に突出して設けられている。図１５（Ｂ）はこの開錠の様子を示す。すなわち、キーガイド１３に鍵６を差し込んで廻すと、鍵６がラッチ１４の鍵受け部１４に係合し、更に鍵６を右方向に廻してラッチ１４を下方（矢印方向）に動かすと、つまみのフックを係止していたラッチ１４の係止部４４がフックから外れるため、つまみが開放されて開錠される。
【００３６】
鍵６で開錠ができれば鍵受け部１４の形体および位置は限定されないが、鍵６による開錠を円滑に行うために、前記鍵受け部３８は図１５（Ｂ）に示すように鍵孔３７の約２７０度の位置に設けることが好ましい。鍵受け部３８が鍵孔３７の約２７０度の位置に設けられていると、鍵６でラッチ１４を効率的に押し下げ、開錠作業を円滑に行うことができる。また、鍵受け部３８が鍵６の差し込み位置である例えば０度付近（図１５では鍵孔３７の下部）まで連続して形成し、この位置にキーガイド１３の鍵差込み孔を合わせておくと、鍵６の逆方向回転（左回転）をこの鍵差し込み位置の鍵受け部によって防止できるため、鍵６の開錠操作が円滑となる。
【００３７】
次に、本錠前の組立ての一例について概説する。係止部Ｘ、鍵部Ｙの順序で組み立てる場合について説明するが、逆の順序でもよい。
先ず、図１３のつまみ軸８の板ばね収容部３５に、図１０の板ばね７を彎曲部が横または下になるように挿入し、次いで凹部３０につまみ４（図７）の取付け部２６を装入して前記板ばね７の両端で弾性的に押える。このように凹部３０につまみ４の取付け部２６が装入された状態で、段部４２を有するつまみ軸８の小径部４５を枠箱１（図３）の開口孔２０に外側から嵌合すると、つまみ軸８のかしめボス３４は枠箱１の内側に突出する。そこで、枠箱１の内側に突出しているつまみ軸８のかしめボス３４にカム板１５のボス孔３６を枠箱１の内側から嵌合し、つまみ軸８の段部４２とカム板１５との間に枠箱１を緩く挟んだ状態でかしめボス３４をかしめる。これにより、カム板１５とつまみ軸８とが連結されるため、つまみ軸８を枠箱１の開口孔２０に取り付けできる。
【００３８】
かくして、枠箱１に取り付けられたつまみ軸８は、枠箱１の開口孔２０に嵌合されている小径部４５が開口孔２０より小径で、かつ段部４２とカム板１５とで枠箱１を緩く挟んだ状態になっているため、枠箱１に対し回動自在である。同時に、つまみ４は取付け部２６が板ばね７で弾性支持されているため、板ばね７の弾性力を受けながら起立させたり倒伏させることができる。これにより、つまみ軸８はつまみ４を起立させて廻すことにより回動することができる。
【００３９】
次に、図２に示すように前記カム板１５のカムピン９に掛け金２のカム孔１７を嵌合した状態で掛け金２を枠箱１の内側に組み入れ、この状態で枠箱１の側部４０の曲げ部４１を内側に折り曲げて掛け金２を外側から抱えて枠箱１に組み込む。枠箱１に組み込まれた掛け金２は、つまみ４でつまみ軸８を回動させると、前記カム板１５に偏心して設けられているカムピン９がつまみ軸８の回転中心を中心に回動するため枠箱１内を移動する。
【００４０】
次に鍵部Ｙの組立について説明する。図１５に示すように鍵箱１１内にラッチ１４をばね１２と一緒に組み込み、組み込まれたラッチ１４の鍵孔３７にキーガイド１３を挿通してその両端をそれぞれ鍵箱１１の孔４３および枠箱１の錠取付け孔２３に嵌着し、鍵箱１１を枠箱１の側部４０の間に装填する。この状態で枠箱１を羽枠１９（図１１参照）に組み合わせ、枠箱１の取付け孔２４と鍵箱１１の軸孔３９とを羽枠１０の長軸孔２９に整合させて軸管１８を挿通し、枠箱１を羽枠１０に取り付けるのと同時に鍵箱１１を軸管１８に軸支させる。次いで、枠箱１の側部４０に設けられた留め片２５を内側に折り曲げて、鍵箱１１を枠箱１の鍵部Ｙに固定する。
【００４１】
かくして、軸管１８で羽枠１９に軸支された枠箱１は、軸管１８を軸にして回動（揺動）可能となる。さらに、図１に示すように一端が羽枠１９のばね取付け孔３２に係止された引き寄せばね１６の他端を、軸管１８の開口端部に差し込むことにより、羽枠１９に軸管１８で取り付けられた枠箱１には引き寄せばね１６の弾性力が付勢される。この結果、受け金に係止された掛け金２がつまみ８で係止部Ｘ側（受け金側）に引っ張られると、該掛け金２にカムピンで連結している枠箱１は、管軸１８が羽枠１９の長軸孔２９に遊嵌されているため、引き寄せばね１６の弾性力に抗して一緒に係止部Ｘ側に引き寄せられる。なお、軸管１８の端部に設ける引き寄せばね１６の差し込み孔を所定の深さにしておくと、引き寄せばね１６の端部を軸管１８に一定量だけ装入することができる。また、上記引き寄せばね１６が軸管１８から離脱しないように工夫すれば、該引き寄せばね１６で軸管１８を軸方向に保持できる。
【００４２】
なお、上記した組立てではラッチ１４やキーガイド１３を組み込んだ後に鍵箱１１を枠箱１と一緒に羽枠１９に軸管１８で取り付けたが、逆に先に羽枠１９に取り付けてからラッチ１４やキーガイド１３を組み込んでもよい。また、鍵箱１１の軸孔３９が枠箱１の取付け孔２４に整合していれば、先に留め片２５で鍵箱１１を枠箱１に固定した状態で、枠箱１を羽枠１９に取り付けてもよい。
【００４３】
図１６は、本錠前の施錠および開錠の方法を作業手順に示したものである。
図において、（ａ）、（ｂ）、（ｃ）は施錠手順であり、（ｄ）、（ｅ）、（ｆ）は開錠手順である。（ａ）は掛け金を受け金に係止した状態を示す。掛け金２を受け金３に係止するには、起立させたつまみ４を掴んで左方向に廻し掛け金２を受け金３に向かって延伸させるとともに、軸管１８を軸にして枠箱１を右方向に回動させて掛け金２を受け金３に近づけ、掛け金２を受け金３に引っ掛ける。次いで、この状態でつまみ４を右方向に廻すと、掛け金２は枠箱側に引き寄せられ、つまみ４を更に右方向にまわすと、掛け金２と受け金３とは羽枠１９に取り付けられている枠箱１を通して引き寄せばね１６の付勢力により互いに強く引き寄せられる。これにより、掛け金２と受け金３とは係止された状態で緊締される。このように掛け金２と受け金３とが係止緊締されたとき、つまみ４のフック５は倒伏側に位置している。
【００４４】
次に（ｂ）に示すようにつまみ４を倒伏側に倒すと、つまみ軸８に弾性的に支持されているつまみ４は、本体部２２が角度θ傾斜した状態となる。その際、本体部２２の倒伏側に突出しているフック５はその先部が枠箱１のフック用孔（図示せず）に装入し、該フック用孔部にばねで付勢されて突出している鍵部Ｙのラッチに係合する。（ｂ）はこの状態を示す。
【００４５】
この状態で、（ｃ）に示すようにつまみ４の本体部２２を矢印方向から更に押すと、上記フックはフック用孔部に突出しているラッチをばね力に抗して押しながら進入する。そして、フック５が一定以上奥まで押し込まれると、ラッチはフックの拘束が解消されるためばね力で元の位置まで戻り自動的にフック５を係止し、つまみ４を起立させることも、回動させることもできないように固定する。かくして、本錠前は掛け金２を受け金３に係止した状態で鍵なしで自動的に施錠される。
【００４６】
次に、本錠前の開錠について説明する。（ｄ）に示すように鍵部Ｙの錠のキーガイド１３に鍵６を差し込んで廻し、前記つまみ４のフックを係止しているラッチを押し下げてフックから外す。フックがラッチから開放されたつまみ４は、ラッチの拘束がなくなるため弾性力で本体部２２が枠箱１に対し角度θの位置となるまで起立側に戻り開錠される。（ｅ）はこの開錠された状態を示す。フックを開放したラッチは、鍵６が外されてばね力で元の位置に戻り、次の施錠に備える。
【００４７】
そして、開錠された本錠前の掛け金２を受け金３から外すには、施錠時と逆につまみ４を矢印方向に起立させて左方向に廻し、（ｆ）のように掛け金２を枠箱１から延伸させて受け金３から離脱させることによって得られる。
【００４８】
以上、本発明の好ましい形態の錠前について説明したが、鍵部Ｙの錠構造は使用する錠の種類によって適宜変えられる。例えば、図１７に示すようにラッチ１４をシリンダ錠で操作し開錠してもよい。また、前記した錠前では、係止部Ｘと鍵部Ｙとを枠箱１に一緒に組み込んだ構造となっているが、鍵部Ｙを図１８に示すように枠箱１を取り付ける基体に設け、該鍵部Ｙのラッチで枠箱１に組み込まれている係止部Ｘのつまみ４を施錠するように構成してもよい。
【００４９】
本発明の錠前は、上記したように係止部と鍵部が掛け金を受け金に係止した状態で鍵なしで自動的に施錠されるように構成されているので、施錠の作業性および使い勝手が優れており、かばんおよびケース等の携帯用容器、ロッカーおよび郵便私書箱等の備付け容器、またはコンテナ等の運搬用容器等の各種収納容器の錠前として好ましく使用できる。
【産業上の利用可能性】
【００５０】
本発明に係わる錠前は、鍵なしで自動的に施錠することができるので、使い勝手がよく作業性の優れる錠前として、収納容器が、かばんおよびケース等の携帯用容器、ロッカーおよび郵便私書箱等の備付け容器、またはコンテナ等の運搬用容器等の各種収納容器の錠前として適用できる。
【図面の簡単な説明】
【００５１】
【図１】（Ａ）は本発明の好ましい実施形態に係わる錠前の平面図、（Ｂ）は左側面図。
【図２】図１の錠前のＩ−Ｉ部における断面説明図。
【図３】図１の錠前の枠箱を裏面から見た平面図。
【図４】図３の枠箱のII−II部における断面図。
【図５】図１の錠前の掛け金の平面図。
【図６】図５のIII−III部における断面図。
【図７】図１の錠前のつまみの平面図。
【図８】図７のIV−IV部における断面図。
【図９】つまみの浮上機構を示す断面説明図。
【図１０】図１の錠前の板ばねの斜視図。
【図１１】（Ａ）は図１の錠前の羽枠の平面図、（Ｂ）は右側面図。
【図１２】図１の錠前の引き寄せばねの正面図。
【図１３】図１の錠前のつまみ軸を裏側からみた斜視図。
【図１４】図１の錠前のカム板の斜視図。
【図１５】（Ａ）は図１の錠前の鍵部Ｙを分解して示す斜視図、（Ｂ）はその開錠時の説明図。
【図１６】図１の錠前の施錠および開錠の説明図。
【図１７】本発明の他の実施形態に係わる錠前の断面説明図。
【図１８】本発明の他の実施形態に係わる錠前の断面説明図。
【符号の説明】
【００５２】
１：枠箱                        ２：掛け金                  ３：受け金
４：つまみ                      ５：フック                  ６：鍵
７：板ばね                      ８：つまみ軸                ９：カムピン
１０：つまみばね              １１：鍵箱                  １２：ばね
１３：キーガイド              １４：ラッチ                １５：カム板
１６：引き寄せばね            １７：カム孔                １８：軸管
１９：羽枠                    ２０：開口孔                ２１：フック用孔
２２：本体部                  ２３：錠取付け孔            ２４：取付け孔
２５：留め片                  ２６：取付け部              ２７：彎曲部
２８：持上げ部                ２９：長軸孔                ３０：凹部
３１：取付け孔                ３２：ばね取付け孔          ３３：逃げ孔
３４：かしめボス              ３５：板ばね収容部          ３６：ボス孔
３７：鍵孔                    ３８：鍵受け部              ３９：軸孔
４０：側部                    ４１：曲げ部                ４２：段部
４３：孔                      ４４：係止部                ４５：小径部
４６：彎曲部
【図１】
2008297725.tif 000003
【図２】
2008297725.tif 000004
【図３】
2008297725.tif 000005
【図４】
2008297725.tif 000006
【図５】
2008297725.tif 000007
【図６】
2008297725.tif 000008
【図７】
2008297725.tif 000009
【図８】
2008297725.tif 000010
【図９】
2008297725.tif 000011
【図１０】
2008297725.tif 000012
【図１１】
2008297725.tif 000013
【図１２】
2008297725.tif 000014
【図１３】
2008297725.tif 000015
【図１４】
2008297725.tif 000016
【図１５】
2008297725.tif 000017
【図１６】
2008297725.tif 000018
【図１７】
2008297725.tif 000019
【図１８】
2008297725.tif 000020